(57)【要約】【課題】本発明は、１つの用具で、汁物を掬うことおよび味噌等を漉すことに使用できる網部付おたまを提供することを目的とする。【解決手段】味噌汁等の汁物を掬うために使用するおたまの先端の汁物を掬うための凹形状を有する容器部に、かす揚げの先端の網部を連結し、網部の直径は前記掬い部の直径より僅かに小さなものとし、網部を前記掬い部の底から、前記掬い部の深さの3分の２程度のところに設置されるようにし、網部は、前記網部が前記掬い部から上方に離れうるように前記網部の一部を前記おたまの柄部の根元に連結部で可動固定する。【選択図】図１
2007014406.tif 000002
【特許請求の範囲】
【請求項１】
味噌汁等の汁物を掬うために使用するおたまの先端の汁物を掬うための凹形状を有する容器部（以下「掬い部」ともいう）に、かす揚げの先端の網部（以下「網部」ともいう）が連結されたものであって、
前記網部の直径は前記掬い部の直径より僅かに小さくて、
前記網部は前記掬い部の底から、前記掬い部の深さの3分の２程度のところに設置され、
前記おたまの柄部（以下「おたま柄部」ともいう）の根元近辺に前記網部を前記おたまに連結するための連結 部を備え、
前記網部は、前記網部が前記掬い部から上方に離れうるように前記網部の一部が前記連結部に可動固定されていることを特徴とする網部付おたま。
【請求項２】
前記網部に短い柄部が付けられて、前記短い柄部（以下「網柄部」ともいう）の一部が前記おたま柄部の根元近辺に設置されている前記連結部に可動固定されていることを特徴とする請求項１に記載の網部付おたま。
【請求項３】
前記網部に止め具が設置されて、前記止め具によって、前記網部が前記掬い部に一時的に固定されることを特徴とする請求項１及び２に記載の網部付おたま。
【請求項４】
前記掬い部の直径が１００ｍｍ以上１５０ｍｍ以下であり、
前記掬い部の深さが７０ｍｍ以上１４０ｍｍ以下であり、
前記網部の直径が９０ｍｍ以上１４０ｍｍ以下であり、
前記網部の深さが５ｍｍ以上４０ｍｍ以下であることを特徴とする請求項１乃至３に記載の網部付おたま。
【請求項５】
前記連結部は前記網部の一部または前記網柄部の一部を締め付ける力を調整することができ、前記締め付ける力を調整することにより前記網部を適当な位置に一次固定できるように構成されていることを特徴とする請求項１乃至４に記載の網部付おたま。
【発明の詳細な説明】
【技術分野】
【０００１】
本発明は、台所用品であるおたま及び味噌漉し等に関する。
【背景技術】
【０００２】
従来は味噌汁等の汁物を掬う場合にはおたまを用い、味噌を漉す場合には味噌漉しを使用し、一つの用具でおたま、味噌漉しの機能を有するものは存在していなかった。
【０００３】
【特許文献１】特開平１０−３２８０４９
【発明の開示】
【発明が解決しようとする課題】
【０００４】
しかし、一つの用具を、これらの汁物を掬うこと、味噌を漉すこと等に使用できれば、用具を取り替える手間が省けて料理の作業効率を上げることができる。また、洗い物も少なくなるので、面倒な後片付けの短縮化をも図れる。さらに、台所用品の数を少なくできるので台所スペースの有効利用も図れる。特に、一人暮らしの学生や単身赴任者の家屋の台所は一般的には狭く、料理の用途毎に 専用の台所用品を準備できるほどのスペースはなく、有用である。また、一人暮らしの老人等の場合にも同様の事情がある。
【０００５】
そこで、本発明は、味噌汁等の汁物を掬う場合にも、 味噌を漉す場合にも共用できる網付おたまを提供することを目的とする。
【課題を解決するための手段】
【０００６】
前記目的を達成するため、請求項１に記載された発明は、網部付おたまであって、
味噌汁等の汁物を掬うために使用するおたまの先端の汁物を掬うための凹形状を有する容器部に、かす揚げの先端の網部が連結されたものであって、
前記網部の直径は前記掬い部の直径より僅かに小さくて、
前記網部は前記掬い部の底から、前記掬い部の深さの3分の２程度のところに設置され、
前記おたまの柄部の根元近辺に前記網部を前記おたまに連結するための連結部を備え、
前記網部は、前記網部が前記掬い部から上方に離れうるように前記網部の一部が前記連結部に可動固定されていることを特徴とする。
【０００７】
また、請求項２に記載の発明は、請求項１に記載の網部付おたまに係り、
前記網部に短い柄部が付けられて、前記短い柄部の一部が前記おたま柄部の根元近辺に設置されている前記連結部に可動固定されていることを特徴とする。
【０００８】
また、請求項３に記載の発明は、請求項１及び請求項２に記載の網部付おたまに係り、
前記網部に止め具が設置されて、前記止め具によって、前記掬い部に一時的に固定されることを特徴とする。
【０００９】
また、請求項４に記載の発明は、請求項１乃至３に 記載の網部付おたまに係り、
前記掬い部の直径が１００ｍｍ以上１５０ｍｍ以下であり、
前記掬い部の深さが７０ｍｍ以上１４０ｍｍ以下であり、
前記網部の直径が９０ｍｍ以上１４０ｍｍ以下であり、
前記網部の深さが１０ｍｍ以上４０ｍｍ以下であることを特徴とする。
【００１０】
また、請求項５に記載の発明は、請求項１乃至４に 記載の網部付おたまに係り、
前記連結部は前記網部の一部または前記網柄部の一部を締め付ける力を調整することができ、前記締め付ける力を調整することにより前記網部を適当な位置に一次固定できるように構成されていることを特徴とする。
【発明の効果】
【００１１】
請求項１に記載の発明によれば、請求項１に記載の発明に係る網部付おたまを、汁物を掬う場合、味噌等を漉す場合及びその他の裏漉しをする場合において共用することができ、台所作業の単純化、効率化および、台所スペースの節約を図ることができる。
【００１２】
請求項２に記載の発明によれば、請求項１に記載の発明の効果に加えて、前記網部１０３の前記掬い部１０１の中に収める位置および上に持ち上げられる位置を調整することができ、本発明に係る網部付おたまをより使い易くすることができる。
【００１３】
請求項３に記載の発明によれば請求項１および２に記載の発明の効果に加えて、前記網部を前記掬い部の中に着実に収めることができ、本発明に係る網部付おたまをより使い易くすることができる。
【００１４】
請求項４に記載の発明によれば請求項１乃至３に記載の発明の効果に加えて、大量に汁物を掬ったり、大量の味噌漉しや、裏漉しを効率よくできるという効果が得られる。
【００１５】
請求項５に記載の発明によれば請求項１乃至４に記載の発明の効果に加えて、前記網部を持ち上げた場合に、使いやすい位置に一時固定することができ、本発明に係る網部付おたまをより使い易くすることができる。例えば、前記網部を持ち上げて、前記掬い部を洗浄する場合に洗浄が容易であり、また汁物も掬う場合に具が多く前記網部が無いほうが使用し易い場合等に前記網部を持ち上げて、使いやすい位置に一時固定すると使いやすくなるという 効果が得られる。
【発明を実施するための最良の形態】
【００１６】
以下、図を参照しつつ、発明を実施するための最良の形態につき説明する。
【００１７】
（実施の形態）
【００１８】
図１は本発明の実施の形態に係る網部付おたまの 構成を示す斜視図である。図１において、１０１は前記掬い部である。１０２は前記柄部である。１０３は前記網部である。１０４は止め具である。１０５は前記網柄部である。１０６は連結 部である。
【００１９】
本実施の形態に係る網付おたまにおいては、前記網部１０３に短い前記網柄部１０５が付加され、前記網柄部１０５は前記柄部１０２の根元に連結部１０６によって可動固定されており、前記網部１０３と前記網柄部１０５は前記連結部１０６を中心として回転し、前記網部１０３は、前記掬い部１０１の凹部の中から上方に移動できるように構成されている。また、前記網部１０３が前記掬い部１０１の凹部に収まっている状態では、止め具１０４によって、前記掬い部１０１の凹部の縁に引っかかることにより、固定される。
【００２０】
前記掬い部１０１、前記柄部１０２、前記網部１０３、網柄部１０５および止め具１０４の材料はステンレス等の金属であっても、プラスチック等であってもよい。
【００２１】
また、前記網部１０３の大きさは、一般的なおたまの大きさであっても、一般的な味噌漉しの大きさであってもよい。
【００２２】
図２は、前記網部１０３を持ち上げた場合の本発明に係る網部付おたまの斜視図である。前記連結部１０６により前記網部１０３は適当な位置で固定される。前記網部１０３を持ち上げることができ、かつ適当な位置で固定されることにより、網部付おたまを使用後の洗浄等も容易に実施できる。
【００２３】
以下、本発明に係る網部付おたまの使用方法について説明する。
図３は本発明に係る網部付おたまを味噌漉しとして使用している状況を示す斜視図である。図３において、３０１は味噌である。３０２は箸である。味噌３０１を漉す場合には、前記網部１０３を前記掬い部１０１に収めて、その上に味噌３０１を置き、箸３０２またはレンゲ等により味噌を漉すことができる。本発明に係る網部付おたまを使用することにより、専用の味噌漉しを使用する必要がなく、味噌を漉した後に、網部付おたまにより、手早く味見もでき便利である。
図３に示される使用法により、味噌を漉すばかりではなく、各種の裏漉しに本発明に係る網部付おたまを使用することができる。
図４は本発明に係る網部付おたまを通常の 汁物を掬う場合のおたまとして使用している状況を示す斜視図である。この場合には、前記網部１０３を図２に示されるように持ち上げて使用しても、図４に示されるように、前記掬い部１０１の中に収めてしようしてもよい。味噌汁等の汁の中に具が存在しても、特に前記網部１０３があることにより、おたまとしての機能を阻害することはないが、具が多くて、前記網部１０３が邪魔になる場合には、前記網部１０３を上に持ち上げて使用する。
図５は、前記網部１０３を持ち上げた場合の本発明に係る網部付おたまの斜視図と前記連結部１０６の周辺部の拡大図である。図５において、５０１は連結部１０６を拡大した図である。５０２は網柄部１０５の一部を締め付ける力を調整するためのマイナスドライバー用のねじ孔である。前記ねじ孔５０２をマイナスドライバーで回すことにより、前記網柄部１０５の一部を締め付ける力を調整して、網部１０３を適当な力で連結部を中心として回転させることができると共に、回転を止めた位置で一時固定させることができる。なお図５の連結部は実施例の一つであり、網部１０３を回転させることができ、一時的に 固定させることができる他の方式で連結部１０６を作成してもよい。
【００２４】
本発明に係る網部付おたまの大きさについては、特に制限はないが、通常の使用の際には、前記掬い部の直径が７０ｍｍ乃至１００ｍｍ程度であり、業務用等の特殊な用途のために前記掬い部の直径が１００ｍｍ乃至１５０ｍｍ程度の場合もある。
【図面の簡単な説明】
【００２５】
【図１】本発明の実施の形態に係る網部付おたまの構成を示す斜視図である。
【図２】網部１０３を持ち上げた場合の本発明に係る網部付おたまの斜視図である。
【図３】本発明に係る網部付おたまを味噌漉しとして使用している状況を示す斜視図である。
【図４】本発明に係る網部付おたまを通常の 汁物を掬う場合のおたまとして使用している状況を示す斜視図である。
【図５】網部１０３を持ち上げた場合の本発明に係る網部付おたまの斜視図と前記連結部１０６の周辺部の拡大図である。
【符号の説明】
【００２６】
１０１      掬い部
１０２      柄部
１０３      網部
１０４      止め具
１０５      網柄部
１０６      連結部
【図１】
2007014406.tif 000003
【図２】
2007014406.tif 000004
【図３】
2007014406.tif 000005
【図４】
2007014406.tif 000006
【図５】
2007014406.tif 000007